(57)【特許請求の範囲】
【請求項１】
車両の前面ガラスを車体に固定するウェザストリップの端末の端縁と、前記車体にサイドミラーを支持するミラーブラケットに装着するミラーブラケットカバーの側縁とを合わせるウェザストリップの端末支持構造であって、
前記ミラーブラケットカバーに設けられた位置決め用の突起部と、
前記ウェザストリップの端末に設けられ、前記突起部に嵌合する開口部と、
前記ウェザストリップの端末に設けられた柔らかい延長部とを具備し、
前記開口部を前記突起部に嵌合させることで、前記ウェザストリップの端末に設けられた前記延長部の端縁の位置が修正されて、前記ウェザストリップの端末の端縁と前記ミラーブラケットカバーの側縁とが連続したラインとなるようにしたことを特徴とするウェザストリップの端末支持構造。
【発明の詳細な説明】
【０００１】
【発明の属する技術分野】
本発明は、車両のウェザストリップの端末支持構造に関する。
【０００２】
【従来の技術】
図５は、トラックの前部左側の一部を示し、ウェザストリップの端末の端縁（ライン）とミラーブラケットカバーとの合い沿いを示す説明図である。車体１の前面窓枠にウェザストリップ２を介して前面ガラス３が装着固定されており、前面ガラス３の側方にサイドミラー４が取り付けられている。サイドミラー４は、ミラーステー５を介して車体の前記窓枠の左隅下部近傍位置に固定されているミラーブラケット（図示せず）に回動可能に支持されており、前記ミラーブラケットにはミラーブラケットカバー６が装着されている。ウェザストリップ２の下端２ａは、フロントパネル上端を覆うように取り付けられ、その端末２ｂは、ミラーブラケットカバー６の側部６ａの上端を覆うように取り付られている。
【０００３】
また、ウェザストリップ２の端縁２ｃとミラーブラケットカバー６の端縁６ｂは、連続したラインが形成されるようにしている。
【０００４】
【発明が解決しようとする課題】
ところで、ウェザストリップ２とミラーブラケットとは夫々別々に車体（ボディメタル）に固定されるため、両者の取付位置のバラツキにより、ウェザストリップ２の端末２ｂの端縁（ライン）２ｃとミラーブラケットに取り付けられるミラーブラケットカバー６の側部６ａの端縁（ライン）６ｂとの合い沿いが悪く、図６（ａ）、又は（ｂ）に示すようにウェザストリップ２の端縁２ｃと、ミラーブラケットカバー６の端縁６ｂとの境に段差ができてしまい、見栄えが悪いという問題がある。
【０００５】
このため、本発明では、ウェザストリップの端末の端縁とサイドミラーのミラーブラケットカバーの側縁との合い沿いの向上を図るようにしたウェザストリップの端末支持構造を提供することを目的としている。
【０００６】
【課題を解決するための手段】
上記目的を達成するため、請求項１の発明では、車体側に設けた係止部にウェザストリップの端末近傍に設けた係止部を係止してウェザストリップの端末を位置決めして、車体側に装着されているミラーブラケットにミラーブラケットカバーを取り付けた際にウェザストリップの端末のラインである端縁をミラーブラケットカバーの側縁に合わせる。
【０００７】
より詳しくは、車体側に装着されているミラーブラケットにミラーブラケットカバーを取り付ける際にミラーブラケットカバーに設けた位置決め用の突起部をウェザストリップの端末に設けた開口部に嵌合させて、ウェザストリップの端末の柔軟性を有している延長部分をミラーブラケットカバーに近づけ、ウェザストリップの端末の端縁を修正して、ウェザストリップの端末の端縁とミラーブラケットカバーの側縁とが連続したラインとなるように合わせる。
【０００８】
また、ミラーブラケットに位置決め用の突起部を設け、ウェザストリップの端末に前記突起部に嵌合する開口部を設けて、ウェザストリップの端末を位置決め支持するようにしてもよい。
更に、車体のパネルと、ウェザストリップの端末に夫々位置決め用の孔を穿設してクリップで固定して、ウェザストリップの端末を位置決め支持するようにしてもよい。
【０００９】
【発明の実施の形態】
以下、図面を参照して本発明の好適な実施例を例示的に詳しく説明する。
図１は、本発明に係るウェザストリップの端末支持構造の実施例１の要部組付斜視図、図２は、図１の組付後の一部断面図である。図１に示すように、サイドミラーブラケット（図示せず）に装着するミラーブラケットカバー１１の開口部１１ａの上端１１ｂは、上方に段差をなして略Ｌ字状に形成されており、その先端１１ｃにはウェザストリップ１２の端末１２ｂに対応する隅部に係止部としての突起部１１ｅが立設されている。
【００１０】
一方、ウェザストリップ１２の下端１２ａは、下方に段差をなして略Ｌ字状に形成されてフロントパネルの上端裏側に取り込まれるようにされており、その端末１２ｂは、下端１２ａを延長した形状とされて、ミラーブラケットカバー１１の開口部上端１１ｂと係合可能とされている。この端末１２ｂの先端１２ｃ、段差部１２ｄがミラーブラケットカバー１１の先端１１ｃの端面、先端１１ｃに夫々当接可能とされており、段差部１２ｄにはミラーブラケットカバー１１の突起部１１ｅと係合する係止部としての位置決め用の開口部１２ｅが設けられている。この開口部１２ｅは、突起部１１ｅが嵌合した状態において、端末１２ｂの端縁（端末のライン）１２ｆがミラーブラケットカバー１１の側縁１１ｆと連続したラインとなるように設けられている。
【００１１】
以下に作用を説明する。
ウェザストリップ１２は、車体の前面窓枠に装着されて前面ガラス１３（図２）を固定する。次いで、ミラーブラケットカバー１１を図示しないミラーブラケットに装着する。このとき、図２に示すようにミラーブラケットカバー１１の開口部上端１１ｂによりウェザストリップ１２の端末１２ｂを上から押し付けるようにして取り付け、位置決め用突起部１１ｅをウエザストリップ１２の開口部１２ｅに挿入する。これにより、ミラーブラケットカバー１１とウェザストリップ１２の端末１２ｂとの取付位置を関連付けて、ミラーブラケットカバー１１の側縁１１ｆとウェザストリップ１２の端末１２ｂの端縁１２ｆ（端末のライン）とを合わせる。このように、ウェザストリップ１２の端末の柔らかい延長部１２ｂをミラーブラケットカバー１１に近づけることで、ウェザストリップ１２の端末ラインとしての端縁１２ｆの位置を修正する。
【００１２】
図３は、本発明に係るウェザストリップの端末支持構造の実施例２の要部組付斜視図である。図３において、車体側（ボデーメタル）に取り付けられるサイドミラーブラケット１５の所定位置に係止部としての位置決め用突起部１５ａが前方に向けて突設し、ウェザストリップ１６の下端１６ａの端末１６ｂに係止部としての位置決め用の孔１６ｃを穿設したものである。尚、ミラーブラケット１５にはミラーブラケットカバーを装着するための取付孔１５ｂが設けられている。
【００１３】
そして、ウェザストリップ１６を車体側に装着し、端末１６ｂの孔１６ｃをミラーブラケット１５の突起部１５ａに嵌合して位置決めする。次いで、ミラーブラケット１５にミラーブラケットカバー（図示せず）を装着する。これにより、ウェザストリップ１６の端末１６ｂの端縁（ライン）１６ｆとミラーブラケットカバー（図示せず）の側縁とを合わせることができる。
【００１４】
図４は、図１の本発明に係るウェザストリップの端末支持構造の実施例３の要部断面図である。図４において車体パネル（ボデーパネル）１７の所定位置に係止部としての位置決め用の孔１７ａを設けると共に、ウェザストリップ１８の端末１８ｂの下端に前記位置決め用の孔１７ａと対応して係止部としての位置決め用の孔１８ｃを穿設し、クリップ１９により車体パネル１７にウェザストリップ１８を位置決め固定して、ウェザストリップ１８の端末１８ｂの端縁（ライン）とミラーブラケットカバー２０の側縁とを合わせるようにしたものである。
【００１５】
【発明の効果】
本発明によれば、車両の前面ガラスを車体に固定するウェザストリップの端末の端縁と車体にサイドミラーを支持するミラーブラケットに装着するミラーブラケットカバーの側縁とを容易に合わせることができ、見栄えの向上を図ることができる。
【００１６】
より詳しくは、ミラーブラケットにミラーブラケットカバーを取り付ける際にウェザストリップの端末の端縁を修正して、ウェザストリップの端末の端縁とミラーブラケットカバーの側縁とが連続したラインとなるように簡単に合わせることができる。
【図面の簡単な説明】
【図１】本発明に係るウェザストリップの端末支持構造の実施例１の要部組付斜視図である。
【図２】図１の組付後の一部断面図である。
【図３】本発明に係るウェザストリップの端末支持構造の実施例２の要部組付斜視図である。
【図４】本発明に係るウェザストリップの端末支持構造の実施例３の要部断面図である。
【図５】トラックの前部左側の一部を示し、ウェザストリップの端末のラインとミラーブラケットカバーとの合い沿いを示す説明図である。
【図６】図５に示すウェザストリップの端末のラインとミラーブラケットカバーとの合い沿いのズレを示す説明図である。
【符号の説明】
１１、２０  ミラーブラケットカバー
１１ｅ  突起部（係止部）
１１ｆ  側縁
１２、１６、１８  ウェザストリップ
１２ｂ  端末
１２ｅ  開口部（係止部）
１２ｆ  端縁（端末のライン）
１３  前面ガラス
【図１】
0003743492.tif 000002
【図２】
0003743492.tif 000003
【図３】
0003743492.tif 000004
【図４】
0003743492.tif 000005
【図５】
0003743492.tif 000006
【図６】
0003743492.tif 000007